(57)【要約】      （修正有）【課題】指で釘を支える感覚で釘を保持することができ、したがって効率よく作業ができることはもちろん、ハンマで釘打ちする際に指を叩くおそれがなく、怪我を心配しないで釘打ちすることができ、しかも児童等が釘打ちの練習を安全に行なうことができる釘打ち案内具を提供する。【解決手段】台板と、台板からほぼ垂直に立ち上げられた側壁部と、側壁部の上端に設けた指保護板とからなる左右一対のコ字状部材を、その長さ方向の一端を蝶番で連結することにより他端を開閉自在とするとともに、左右一対のコ字状部材の上記側壁部に適宜間隔で釘のサイズに応じた縦溝を形成することにより、所定サイズの縦溝に釘をはめ込んで左右一対のコ字状部材で釘を挟み付けて釘打ちした際に、左右一対のコ字状部材に入れた指をハンマで叩かないようにした釘打ち案内具。【選択図】図５
0003109815.tif 000002
【実用新案登録請求の範囲】
【請求項１】
台板と、台板からほぼ垂直に立ち上げられた側壁部と、側壁部の上端に設けた指保護板とからなる左右一対のコ字状部材を、その長さ方向の一端を蝶番で連結することにより他端を開閉自在とするとともに、左右一対のコ字状部材の上記側壁部に適宜間隔で釘のサイズに応じた縦溝を形成することにより、所定サイズの縦溝に釘をはめ込んで左右一対のコ字状部材で釘を挟み付けて釘打ちした際に、左右一対のコ字状部材に入れた指をハンマで叩かないようにしたことを特徴とする釘打ち案内具。
【請求項２】
一端を蝶番で連結した左右一対のコ字状部材が、常態において、蝶番に取り付けたスプリングで所定の角度に開くようになっていることを特徴とする請求項１に記載の釘打ち案内具。
【考案の詳細な説明】
【技術分野】
【０００１】
この考案は、釘打ちの際に指を保護することができ、実際に安全に釘打ちすることができるとともに、児童等が釘打ちの練習を安全に行なうことができる釘打ち案内具に関するものである。
【背景技術】
【０００２】
従来、釘打ちに際してハンマの打ち損じで指を怪我することは止むを得ないこととされてきた。また、既成の釘保持具で支えるやり方で怪我をしないようにして作業をする方法がある。例えば、指の保護板を備えたゆび保護用くぎ支持器については、実開昭５３−１２５９７９号公報（特許文献１参照）に記載があり、柄の先に磁気でくぎを保持するようにした釘打ちについては、実開昭５３−１５６９７８号公報（特許文献２参照）に記載がある。
【特許文献１】実開昭５３−１２５９７９号公報
【特許文献２】実開昭５３−１５６９７８号公報
【考案の開示】
【考案が解決しようとする課題】
【０００３】
しかしながら、怪我を嫌がって上述のような既成の釘保持具で支えるやり方では作業に手間がかかってわずらわしく、また作業性が悪いためにそのようなやり方は長続きしなかった。
【０００４】
そこでこの考案は、指で釘を支える感覚で釘を保持することができ、したがって効率よく作業ができることはもちろん、ハンマで釘打ちする際に指を叩くおそれがなく、怪我を心配しないで釘打ちすることができ、しかも児童等が釘打ちの練習を安全に行なうことができる釘打ち案内具を提供しようとするものである。
【課題を解決するための手段】
【０００５】
すなわちこの考案の釘打ち案内具は、台板と、台板からほぼ垂直に立ち上げられた側壁部と、側壁部の上端に設けた指保護板とからなる左右一対のコ字状部材を、その長さ方向の一端を蝶番で連結することにより他端を開閉自在とするとともに、左右一対のコ字状部材の上記側壁部に適宜間隔で釘のサイズに応じた縦溝を形成することにより、所定サイズの縦溝に釘をはめ込んで左右一対のコ字状部材で釘を挟み付けて釘打ちした際に、左右一対のコ字状部材に入れた指をハンマで叩かないようにしたことを特徴とするものである。
【０００６】
この考案の釘打ち案内具は、上記一端を蝶番で連結した左右一対のコ字状部材が、常態において、蝶番に取り付けたスプリングで所定の角度に開くようになっていることをも特徴とするものである。
【考案の効果】
【０００７】
この考案の釘打ち案内具によれば、指で釘を支える感覚で釘を保持することができ、したがって効率よく作業ができることはもちろん、床面その他の釘打ち面に直角に打ち込むことが可能となる。
またこの考案の釘打ち案内具を使用することにより、ハンマで釘打ちする際に指を叩くおそれがなく、怪我を心配しないで釘打ちすることができ、しかも児童等が釘打ちの練習を安全に行なうことができるという利点がある。
【考案を実施するための最良の形態】
【０００８】
以下、この考案の釘打ち案内具の実施の形態を図面に基いて詳細に説明する。
図１（ａ）はこの考案の釘打ち案内具の１実施例を示す平面図、（ｂ）は台板部分の他の例を示す平面図、図２はその側面図、図３はその正面図、図４は左右一対のコ字状部材を開いた状態の正面図、図５は釘打ち案内具の使用状態を示し、正常にハンマで叩いている側面図、図６はハンマを叩き損ねた状態の側面図、図７はこの考案の釘打ち案内具の他の実施例を示す側面図である。
【０００９】
図１ないし図６において、この考案の釘打ち案内具１０は、床面その他の釘打ち面に平行な台板１２と、この台板１２からほぼ垂直に立ち上げられた側壁部１３と、側壁部１３の上端に設けた指保護板１４とからなる左右一対のコ字状部材１１，１１を備えている。そして上記側壁部１３は指先に相当する先端から指の付け根に向かう方向に広がるテーパ状をなしている。
【００１０】
左右一対のコ字状部材１１，１１は、その長さ方向の一端を蝶番１５で連結することにより他端（先端）を開閉自在とするとともに、スプリング１６が蝶番１５に取り付けてある。したがって、左右一対のコ字状部材１１，１１は、常態において、蝶番１５に取り付けたスプリング１６で所定の角度に開くように構成されている。
【００１１】
左右一対のコ字状部材１１，１１の上記側壁部１３には、適宜間隔で釘２１のサイズに応じた縦溝１７…を形成されている。
ちなみに、図において縦溝１７には先端部分が細めであり、順次太くなるように構成されている。
図１（ａ）において１８は指保護板１４の後端部に設けた釘抜きである。また１９は台板１２の両側に設けたクサビ状の切込みで、釘を打ち込む位置を確認するためのものである。
また、上記クサビ状の切込み１９に代えて、図１（ｂ）のように目盛り２０を刻印してもよい。
【００１２】
この実施例の釘打ち案内具１０の使用に際しては、左右一対のコ字状部材１１，１１に指を入れた状態で、所定サイズの縦溝１７に釘２１をはめ込んで釘２１をスプリング１６に抗して挟み付ける。この状態で図５のようにハンマ２２で釘打ちすると、安全かつ迅速に釘打ちすることができるのである。
【００１３】
その際、図６のように左右一対のコ字状部材１１，１１に入れた指をハンマ２２で叩いてしまった場合でも、ハンマ２２は指保護板１４を叩くだけであり、指を怪我するおそれがない。
【００１４】
図７に示すこの考案の釘打ち案内具の実施例においては、釘打ち案内具３０は床面その他の釘打ち面に平行な台板３２と、この台板３２からほぼ垂直に立ち上げられた側壁部３３と、側壁部３３の上端に設けた指保護板３４とからなる左右一対のコ字状部材３１，３１を備えている。そして上記側壁部３３は指先に相当する先端から指の付け根に向かう方向に広がるテーパ状をなしている。
【００１５】
左右一対のコ字状部材３１，３１は、その長さ方向の一端を蝶番３５で連結することにより他端（先端）を開閉自在とするとともに、スプリング（図示せず）が蝶番３５に取り付けてある。したがって、左右一対のコ字状部材３１，３１は、常態において、蝶番３５に取り付けたスプリングで所定の角度に開くように構成されている。
【００１６】
この考案の釘打ち案内具の実施例においては、釘打ち案内具３０は左右一対のコ字状部材３１，３１の長さのほぼ中間に折曲げ部３６が設けられている。この折曲げ部３６は横軸３８からなり、その後部において上下方向に首振りできるようになっている。
上記台板３２は折曲げ部３６の前方において、また指保護板３４は折曲げ部３６の前後においてそれぞれ形成されている。
【００１７】
この実施例の釘打ち案内具３０の使用に際しては、左右一対のコ字状部材３１，３１に指を入れた状態で、所定サイズの縦溝３７に釘４１をはめ込んで釘４１をスプリング３６に抗して挟み付ける。この状態でハンマ４２で釘打ちすると、安全かつ迅速に釘打ちすることができるのである。
【産業上の利用可能性】
【００１８】
この考案によれば、ハンマで釘打ちする際に指を叩くおそれがなく、怪我を心配しないで釘打ちすることができ、しかも児童等が釘打ちの練習を安全に行なうことができる釘打ち案内具を提供することが可能となった。
もちろん、釘打ち以外にも同様のハンマ操作を必要とする作業等に使用することができる。
【図面の簡単な説明】
【００１９】
【図１】（ａ）はこの考案の釘打ち案内具の１実施例を示す平面図、（ｂ）は台板部分の他の例を示す平面図である。
【図２】その側面図である。
【図３】その正面図である。
【図４】左右一対のコ字状部材を開いた状態の正面図である。
【図５】釘打ち案内具の使用状態を示し、正常にハンマで叩いている側面図である。
【図６】ハンマを叩き損ねた状態の側面図である。
【図７】この考案の釘打ち案内具の他の実施例を示す側面図である。
【符号の説明】
【００２０】
１０  釘打ち案内具
１１，１１  コ字状部材
１２  台板
１３  側壁部
１４  指保護板
１５  蝶番
１６  スプリング
１７  縦溝
１８  釘抜き
１９  切込み
２０  目盛り
２１  釘
２２  ハンマ
３０  釘打ち案内具
３１，３１  コ字状部材
３２  台板
３３  側壁部
３４  指保護板
３５  蝶番
３６  折曲げ部
３７  縦溝
３８  横軸
４１  釘
４２  ハンマ
【図１】
0003109815.tif 000003
【図２】
0003109815.tif 000004
【図３】
0003109815.tif 000005
【図４】
0003109815.tif 000006
【図５】
0003109815.tif 000007
【図６】
0003109815.tif 000008
【図７】
0003109815.tif 000009